(57)【要約】      （修正有）【課題】枕中身、枕の機能を増加して、使用・普及範囲を拡大できる、物品収納可能な枕中身及びそれを用いた枕を提供する。【解決手段】枕中身は、第１前頚部１、第２前頚部２及びＵ字型構造をしている後頚部３を備え、第１前頚部と第２前頚部がそれぞれＵ字型構造の両端部に接続され、Ｕ字型構造の外側面に収納溝４が設置される後頚部の外側面に収納溝を設置することによって、枕中身に物品貯蔵機能を付与し、枕の機能を増加する。枕は枕カバーを備え、枕カバーに設置された帽子を枕中身の収納溝内に収納できるようにすることで、帽子が枕外部に置かれるか、又は枕カバー内部だけに収納され、体積の増大、外観性、携帯性への悪影響がなくなる。【選択図】図１
0003217086.tif 000002
【実用新案登録請求の範囲】
【請求項１】
物品収納可能な枕中身であって、
第１前頚部、第２前頚部及びＵ字型構造をしている後頚部を備え、前記第１前頚部と前記第２前頚部はそれぞれ前記Ｕ字型構造の両端部に接続され、前記Ｕ字型構造の外側面に収納溝が設置されることを特徴とする枕中身。
【請求項２】
前記第１前頚部と前記第２前頚部はいずれも前記後頚部と一体成形された構造をしていることを特徴とする請求項１に記載の物品収納可能な枕中身。
【請求項３】
前記第１前頚部と前記Ｕ字型構造との接続部が波形構造をしていることを特徴とする請求項１に記載の物品収納可能な枕中身。
【請求項４】
前記外側面はＵ字型構造の上側面、下側面、後側面、左側面及び／又は右側面であることを特徴とする請求項１に記載の物品収納可能な枕中身。
【請求項５】
前記凹溝の数量が少なくとも１つであることを特徴とする請求項１又は４に記載の物品収納可能な枕中身。
【請求項６】
前記第１前頚部、第２前頚部及び後頚部の材質がいずれもメモリーフォームであることを特徴とする請求項１に記載の物品収納可能な枕中身。
【請求項７】
枕であって、
枕カバーと請求項１−６のいずれかに記載の枕中身とを備え、前記枕カバーに開口と帽子が設置され、前記枕中身における収納溝が前記帽子を収納するものであることを特徴とする枕。
【請求項８】
前記開口箇所に外部ファスナーと内部ファスナーを含むファスナーユニットが設置されることを特徴とする請求項７に記載の枕。
【考案の詳細な説明】
【技術分野】
【０００１】
本考案は、日常生活に用いられる寝具の技術分野に関し、特に物品収納可能な枕中身及びそれを用いた枕に関する。
【背景技術】
【０００２】
本願は２０１8年１月１9日に提出した出願番号201820092772.6の中国特許出願の優先権を主張し、その全の内容が引用によりここに組み入られる。
枕は日常生活において不可欠な寝具の１種であり、現在、枕の中身は充填式中身、固定式中身及び形状記憶中身の三種類に大別されており、充填式中身では、従来の中身充填物が様々であり、シルク、羽、カシミヤ等が挙げられるが、従来の中身充填物の材質が少なくて、効果が不十分であり、消費者それぞれのニーズに対応できない。固定式中身として、現在流行っている波状フォーム枕中身が挙げられ、該枕中身は充填式中身の欠点を効果的に解決するものの、枕中身が硬いという問題が存在する。形状記憶中身は記憶機能を有する柔軟性材料を材料とするものである。しかしながら、上記三種類の枕中身は一般的な枕にしか適用できず、特種枕に対しては適用できず、たとえば、枕中身には物体貯蔵機能がない。
【考案の概要】
【考案が解決しようとする課題】
【０００３】
本考案は、従来技術に存在する、機能が少なくて、物品を貯蔵できない等の問題に対して、枕中身、枕の機能を増加して、使用・普及範囲を拡大できる、物品収納可能な枕中身及びそれを用いた枕を提供する。
【課題を解決するための手段】
【０００４】
上記目的を達成させるために、本考案は下記技術案を提供する。
【０００５】
本考案は、第１前頚部、第二前頚部及びＵ字型構造をしている後頚部を備え、前記第１前頚部と前記第二前頚部がそれぞれ前記Ｕ字型構造の両端部に接続され、前記Ｕ字型構造の外側面に収納溝が設置される物品収納可能な枕中身を提供する。
【０００６】
好ましくは、前記第１前頚部と前記第二前頚部はいずれも前記後頚部と一体成形された構造をしている。
【０００７】
好ましくは、前記第１前頚部と前記Ｕ字型構造との接続部が波形構造をしている。
【０００８】
好ましくは、前記外側面はＵ字型構造の上側面、下側面、後側面、左側面及び／又は右側面である。
【０００９】
好ましくは、前記第１前頚部、第二前頚部及び後頚部の材質がいずれもメモリーフォームである。
【００１０】
本考案はさらに、枕カバーと枕中身とを備え、前記枕カバーに開口と帽子が設置され、前記枕中身における収納溝が前記帽子を収納するものである、上記枕中身を用いた枕を提供する。
【００１１】
好ましくは、前記開口箇所に外部ファスナーと内部ファスナーを含むファスナーユニットが設置される。
【考案の効果】
【００１２】
従来技術に比べ、本考案は以下の有益な効果を有する。
１、本考案に係る物品収納可能な枕中身及びそれを用いた枕では、枕中身の後頚部の外側面に収納溝を設置することによって、枕中身に物品貯蔵機能を付与して、枕の機能を増加して、枕カバーに設置された帽子が枕中身の収納溝内に収納できるようにすることで、帽子が枕外部に置かれるか、又は枕カバー内部だけに収納されることによる体積の増大、外観性、携帯性への悪影響の問題を回避する。
２、本考案に係る物品収納可能な枕中身及びそれを用いた枕では、収納溝をＵ字型構造の上側面、下側面、後側面、左側面及び／又は右側面に設置する（ここで、Ｕ字型構造の設置形態はＵ字型構造のＵ字型支持脚の両端部を観察者に向けることである）ことによって、枕中身に複数種の物品、たとえば帽子、マフラー等を貯蔵できると同時に、収納溝の設置により枕中身構造の体積と重量を減少させて、製造コストを低下させる。
３、本考案に係る帽子付き枕では、枕カバーに外部ファスナーと内部ファスナーを設置することによって、帽子が収納溝内に貯蔵されたとき、外部ファスナーは枕カバーの開口を外部で閉じ、帽子が使用されたとき、内部ファスナーは枕カバーの開口を内部で閉じることで、外部ファスナーと内部ファスナーによって、枕全体の形状安定性、良好な外観性を確保するとともに、枕内部への異物の侵入の問題を防止する。
【図面の簡単な説明】
【００１３】
本考案の実施例又は従来技術における技術案を明瞭に説明するために、以下、実施例に使用される図面を簡単に説明するが、勿論、以下の説明における図面は本考案の一部の実施例に過ぎず、当業者であれば、創造的な努力を必要とせずに、これら図面に基づいて他の図面を想到し得る。
【図１】本考案に係る枕中身の一体構造の模式図である。
【考案を実施するための形態】
【００１４】
以下、本考案の実施例における図面を参照しながら、本考案の実施例における技術案を明瞭且つ完全に説明するが、勿論、説明する実施例はすべての実施例ではなく、本考案の一部の実施例に過ぎない。当業者が本考案における実施例に基づいて創造的な努力を必要とせずに想到し得るすべてのその他実施例は、本考案の保護範囲に属する。
【００１５】
本考案は、従来技術に存在する、機能が少なくて、物品を貯蔵できない等の問題に対して、枕中身、枕の機能を増加して、使用・普及範囲を拡大できる、物品収納可能な枕中身及びそれを用いた枕を提供する。
【００１６】
本考案の上記目的、特徴及び利点をより明瞭且つ把握しやすくするために、以下、図面及び実施形態を参照しながら本考案について更に詳細に説明する。
【００１７】
図１に示すように、本考案は、第１前頚部１、第２前頚部２及びＵ字型構造をしている後頚部３を備え、前記第１前頚部１と前記第２前頚部２がそれぞれ前記Ｕ字型構造の両端部に接続され、前記Ｕ字型構造の外側面に収納溝４が設置される物品収納可能な枕中身を提供し、すなわち、枕中身の後頚部３の外側面に収納溝４を設置することによって、枕中身に物品貯蔵機能を付与して、枕の機能を増加し、枕カバーに設置される帽子が枕中身の収納溝４内に収納できるようにすることで、帽子が枕外部に置かれるか、又は枕カバー内部だけに収納されることによる体積の増大、外観性、携帯性への悪影響の問題を回避する。
【００１８】
後頚部３は人体の首の後側に対応し、第１前頚部１と第２前頚部２はそれぞれ人体の首左側又は右側に対応し、Ｕ字型構造の外側面とは「Ｕ」内部側面以外のほかの側面である。
【００１９】
製造し易さから、本考案では、第１前頚部１と第２前頚部２はいずれも前記後頚部３と一体成形された構造をしている。
【００２０】
枕中身及びその枕中身を用いた枕の外観性を改善するために、本考案では、第１前頚部１とＵ字型構造との接続部が波形構造をしており、好ましくは、使用際、第１前頚部１とＵ字型構造の接続部は人体の耳下方に位置し、且つ窪んだ形状とされており、このように、ここでの枕中身が高すぎることにより人体耳が押されるという問題を解決し、使用の快適性を高める。
【００２１】
Ｕ字型構造の配置形態がＵ字型構造のＵ字型支持脚の両端部を観察者に向けるようにする場合、本考案では、外側面はＵ字型構造の上側面、下側面、後側面、左側面及び／又は右側面である。
【００２２】
本考案では、第１前頚部１、第２前頚部２及び後頚部３の材質はいずれもメモリーフォームである。
【００２３】
本考案では、枕カバーと枕中身とを備え、前記枕カバーに開口と帽子が設置され、前記枕中身における収納溝４が前記帽子を収納するものである上記枕中身を用いた枕を提供する。
【００２４】
本考案では、前記開口箇所に外部ファスナーと内部ファスナーを含むファスナーユニットが設置されており、すなわち、枕カバーに外部ファスナーと内部ファスナーを設置することによって、帽子が収納溝４内に収納されたとき、外部ファスナーは枕カバーの開口を外部で閉じ、帽子が使用されたとき、内部ファスナーは枕カバーの開口を内部で閉じることで、外部ファスナーと内部ファスナーによって、枕全体の形状安定性と良好な外観性を確保するとともに、枕内部への異物の侵入の問題を回避する。
【００２５】
本明細書では、具体例を用いて本考案の原理及び実施形態について説明したが、以上の実施例の説明は本考案の方法及びその主な構想を理解しやすくするためのものに過ぎず、さらに、当業者であれば、本考案の構想に基づいて、実施形態及び応用範囲を変更することができる。前記のとおり、本明細書の内容は本考案の制限だと理解されるべきではない。
【符号の説明】
【００２６】
１  第１前頚部
２  第二前頚部
３  後頚部
４  収納溝
【図１】
0003217086.tif 000003
【手続補正書】
【提出日】平成30年5月15日(2018.5.15)
【手続補正１】
【補正対象書類名】実用新案登録請求の範囲
【補正対象項目名】全文
【補正方法】変更
【補正の内容】
【実用新案登録請求の範囲】
【請求項１】
物品収納可能な枕中身であって、
第１前頚部、第２前頚部及びＵ字型構造をしている後頚部を備え、前記第１前頚部と前記第２前頚部はそれぞれ前記Ｕ字型構造の両端部に接続され、前記Ｕ字型構造の外側面に収納溝が設置されることを特徴とする枕中身。
【請求項２】
前記第１前頚部と前記第２前頚部はいずれも前記後頚部と一体成形された構造をしていることを特徴とする請求項１に記載の物品収納可能な枕中身。
【請求項３】
前記第１前頚部と前記Ｕ字型構造との接続部が波形構造をしていることを特徴とする請求項１に記載の物品収納可能な枕中身。
【請求項４】
前記外側面はＵ字型構造の上側面、下側面、後側面、左側面及び／又は右側面であることを特徴とする請求項１に記載の物品収納可能な枕中身。
【請求項５】
前記収納溝の数量が少なくとも１つであることを特徴とする請求項１又は４に記載の物品収納可能な枕中身。
【請求項６】
前記第１前頚部、第２前頚部及び後頚部の材質がいずれもメモリーフォームであることを特徴とする請求項１に記載の物品収納可能な枕中身。
【請求項７】
枕であって、
枕カバーと請求項１−６のいずれかに記載の枕中身とを備え、前記枕カバーに開口と帽子が設置され、前記枕中身における収納溝が前記帽子を収納するものであることを特徴とする枕。
【請求項８】
前記開口箇所に外部ファスナーと内部ファスナーを含むファスナーユニットが設置されることを特徴とする請求項７に記載の枕。